(57)【要約】【課題】      フェースプレートと第２のプレートを有するアイアンヘッドは、第２のプレートがヘッド本体やフェースプレートに対して密着しにくく、打球音が濁るという問題を有していた。【解決手段】  アイアンヘッドのフェース部にフェース部の外形に沿う第１凹部と、第１凹部の底面に第２凹部と、第２凹部の底面に第３凹部を設け、第２凹部には制御プレートが、第１凹部にはフェースプレートが嵌め込まれ、制御プレートはヘッド本体とフェースプレートに挟み込まれて固定され、フェースプレートは圧入によりヘッド本体に固着一体化されたアイアンヘッドである。【選択図】        図２
2006130231.tif 000002
【特許請求の範囲】
【請求項１】
少なくともフェース部とホーゼル部とソール部とを含むアイアンヘッドであって、
前記アイアンヘッドのフェース部には、フェース部の外形に沿う第１凹部と、第１凹部の底面に設けられた第２凹部と、前記第２凹部の底面に少なくとも１つの第３凹部を有し、
前記第２凹部には制御プレートが、前記第１凹部にはフェースプレートが嵌め込まれ、前記制御プレートはヘッド本体とフェースプレートに挟み込まれて固定され、前記フェースプレートは圧入によりヘッド本体に固着一体化されたことを特徴とするアイアンヘッド。
【請求項２】
少なくともフェース部とホーゼル部とソール部とを含むアイアンヘッドであって、
前記アイアンヘッドのフェース部には、フェース部の外形に沿う第１凹部と、第１凹部の底面に設けられた第２凹部と、前記第２凹部の底面に少なくとも１つの第３凹部を有し、
前記第３凹部には第１の防振材が、前記第２凹部には制御プレートが、前記第１凹部にはフェースプレートが嵌め込まれ、前記制御プレートはヘッド本体とフェースプレートに挟み込まれて固定され、前記フェースプレートは圧入によりヘッド本体に固着一体化されたことを特徴とするアイアンヘッド。
【請求項３】
前記制御プレートと前記フェースプレートの間に、第２の防振材を配置したことを特徴とする請求項２のアイアンヘッド。
【発明の詳細な説明】
【技術分野】
【０００１】
本発明は、金属製のヘッド本体に、ヘッド本体とは別体からなるフェースプレートを配置するアイアンヘッドにおいて、制御プレートと防振材により打球感を改善したアイアンヘッドに関する。
【背景技術】
【０００２】
従来アイアンヘッドは、ヘッド本体には慣性モーメントを大きくするために鉄系の材料を用い、フェースプレートには反発性能を向上させるためにチタン系の材料を用いることが一般的である。また、フェースプレートの裏側を隠蔽する目的で、意匠用の第２のプレートをヘッド本体とフェースプレートで挟んで一体化したアイアンヘッド
【特許文献１】や、重心位置の調整のために、第２のプレートをフェースプレート裏面の上または下の一部に配置したアイアンヘッド
【特許文献２】が開示されている。
【特許文献１】特許登録第２８５６７１２号
【特許文献２】特開２００１−２９５２１号
【発明の開示】
【発明が解決しようとする課題】
【０００３】
ところが、フェースプレートと第２のプレートを有するアイアンヘッドにおいては、第２のプレートはヘッド本体やフェースプレートに対して密着しにくく、打球音が濁るという問題を有していた。
【０００４】
本発明は、かかる問題点を解決するために、フェースプレートと制御プレートでフェースを支えると共に、フェースプレートの振動を短時間で収束させることにより、ボールを打撃したときの打球感を良好に保つアイアンヘッドを提供することを目的とする。
【課題を解決するための手段】
【０００５】
本発明に係わるアイアンヘッドは、１つの局面では、フェース部とホーゼル部とソール部とを含むアイアンヘッドであって、アイアンヘッドのフェース部にフェース部の外形に沿う第１凹部と、第１凹部の底面に第２凹部と、第２凹部の底面に第３凹部を設け、第２凹部には制御プレートが、第１凹部にはフェースプレートが嵌め込まれ、制御プレートはヘッド本体とフェースプレートに挟み込まれて固定され、フェースプレートは圧入によりヘッド本体に固着一体化されたアイアンヘッドである。
【０００６】
打球音を良好に保つには、ボール打撃時の振動数は１４００Ｈｚ〜１５００Ｈｚ程度に納める必要があり、かつ振動減衰は１０００Ｈｚより高い振動数帯では０．８秒乃至１．２秒で減衰させ、１０００Ｈｚ以下、特に８００Ｈｚ以下では１秒以上減衰しないことが必要である。従って、制御プレートの材質は、剛性が高く（金属で）振動減衰性の高いマグネシウム合金が最も適している。また、制御プレートと接するヘッド本体部のソール側は、フェースプレートや制御プレートに比べ剛性が高いので、振幅が大きいフェース中央部がヘッド本体と接触すると打球音が濁りやすくなる。従って、第３凹部はフェースの中心線を含むように１５ｍｍ以上４０ｍｍ以下で設けることが望ましい。
【０００７】
本発明に関わるアイアンヘッドは、別の局面では、フェース部とホーゼル部とソール部とを含むアイアンヘッドであって、アイアンヘッドのフェース部にフェース部の外形に沿う第１凹部と、第１凹部の底面に第２凹部と、第２凹部の底面に少なくとも１つの第３凹部を設け、第３凹部に防振材を、第２凹部に制御プレートを、第１凹部にフェースプレートを嵌め込み、制御プレートはヘッド本体とフェースプレートに挟み込み固定され、フェースプレートは圧入によりヘッド本体に固着一体化されたアイアンクラブヘッドである。
【０００８】
ボール打撃時の振動減衰をさらに早めるためには、剛性の高いヘッド本体部と制御プレートの間に設けた第３凹部に防振材を配置すると良い。防振材は接着等によりヘッド本体と制御プレートの少なくとも一方に固着しても良いし、第３凹部に防振材を配置して、制御プレートとヘッド本体で挟み込むことで固定しても良い。
【０００９】
本発明に係わるアイアンヘッドは、さらに別の局面では、制御プレートとフェースプレートの間に、第２の防振材を配置したアイアンヘッドである。第３の凹部に配置した防振材は、打球音の振動減衰を向上させ不快な残響音を消すことを目的とするが、フェースプレートと制御プレートの間に防振材を配置すると、粘性抵抗によりボール打撃時の最大振幅を小さくすることができる。
【発明の効果】
【００１０】
本発明に係わるアイアンヘッドは、剛性が著しく異なるヘッド本体と制御プレートの間に空間を設け、あるいはその空間に防振材を配置したので、打球音の濁りを低く抑えることができる。また、フェースプレートと制御プレートの間に防振材を配置したので、最大振幅を小さくすることができる。これらの採用により、快適な打球音を得ることができる。
【発明を実施するための最良の形態】
【００１１】
以下、本発明の実施の形態について説明する。アイアンヘッドの反発性能はウッドヘッドに比して改善の余地があり、フェース部に低弾性率のチタン合金からなるフェースプレートを配置することが一般的である。フェースプレートの肉厚は強度的な制約から２．５ｍｍほどであり、さらに薄くなる傾向にある。このためフェースプレートの裏側に制御プレートを配置し、打球音を小さくする必要がある。
【００１２】
本発明のアイアンヘッドは、少なくともフェース部１０２とホーゼル部１０１とソール部１０３とを含み、前記アイアンヘッドのフェース部１０２には、フェース部の外形に沿う第１凹部６と、第１凹部の底面６１に設けられた第２凹部７と、前記第２凹部の底面７１に少なくとも１つの第３凹部８を有し、前記第２凹部７には制御プレート４が、前記第１凹部６にはフェースプレート３が嵌め込まれ、前記制御プレート４はヘッド本体２とフェースプレート３に挟み込まれて固定され、前記フェースプレート３は圧入によりヘッド本体２に固着一体化されたことを特徴とするアイアンヘッドである。
【００１３】
制御プレート４は振動減衰性に優れたマグネシウムで構成することが最も望ましく、充分な減衰効果を得るためには、制御プレート４の厚みはフェースプレート３の肉厚の１．０倍から１．５倍にすることが望ましい。最大振幅が生じるのはフェース中心線１０７付近であるので、第３凹部８はフェース中心線１０７を含むことが望ましく、第３凹部８の深さは、打撃時のフェースプレートと制御プレートの最大振幅よりも大きければよいので、０．５ｍｍ以上であればよく、ソール幅の制約から６ｍｍ以下にするとよい。
【００１４】
ここで、フェース中心線１０７とは、規格通りのライ角でクラブを構えたとき、ソールがグランドラインと接する点を含み、フェースに垂直な平面とフェース部１０２の交線をいう。フェース部にラインマーク１０８がある場合には、ラインマークの中央が該当することもある。また、第３凹部８がフェース中央線１０７を含むとは、フェース部１０２に第３凹部８を投影したときに、フェース中央線１０７と交わる状態をいう。
【００１５】
さらに振動減衰を早めるために、第３凹部８に防振材５を配置してもよい。防振材８は、ウレタン、ポリウレタン、ナイロン等の合成樹脂で構成することが好ましい。制御プレート４の振動は、第３凹部８に配置された防振材５により減衰される。従って、防振材５の自然肉厚は第３凹部８の深さよりも厚く設定し、第３凹部に配置したとき、防振材の表面は第２凹部の底面７１と同じか上にあることが望ましく、この防振材５と接するか押しつぶす形で制御プレート４を配置するとよい。
【００１６】
また、周波数の高い金属音を減衰させ、周波数の低い振動の減衰を弱めてもよい。この場合は、フェース中心線１０７を含む第３凹部８とは別に、第２凹部のトウ部１０４側とヒール部１０５側に第３凹部８１を設け、フェース中心線１０７を含む第３凹部８には防振材を配置せず、前記トウ側とヒール側の第３凹部８１には防振材を配置するとよい。
【実施例１】
【００１７】
図１に、本発明の実施例１におけるヘッド本体２を示す。フェース部１０２に、ほぼフェース外形に沿う形の深さ２．５ｍｍの第１凹部６を設けた。第１凹部のトップ部１０６側は貫通孔になり、ソール部１０３側は第１凹部の底面６１が形成される。第１凹部の底面６１には、深さ３ｍｍの第２凹部７を設け、さらに第２凹部の底面７１に深さ２．０ｍｍの第３凹部８を設けた。第３凹部８は、ボールを打撃したとき、最も撓み量が大きくなるフェース中心線１０７からトウ−ヒール方向に各々１０ｍｍ延長した。制御プレート４は、フェースプレート３と第１凹部の底面６１で押圧され、ヘッド本体２に固定されるが、繰り返しの衝撃力でトップ部側にずれないように第２凹部がトップ部側に対してアンダーカットになるような抜け防止部９を設けた。
【実施例２】
【００１８】
図２に、本発明の実施例２におけるヘッド本体２を示す。第２凹部の底面７１に設ける第３凹部を、フェース中心線１０７を含む中央に１個、トウ側に３個、ヒール側に１個を設け、中央の第３凹部８には防振材を配置せず、トウ側とヒール側の第３凹部８１には防振材５を配置した。第１から第３の各凹部の深さは実施例１と同じであり、防振材には厚さ２．２ｍｍのゴムシートを使用した。
【００１９】
図３に、実施例２のフェース中央線１０７における断面図を示す。少なくとも下部形状が第２凹部７に対応する形に形成された制御プレート４を嵌め込む。制御プレート４の上部の形状は任意でよいが、充分な制振効果を得るためにアイアンヘッドの高さの１／２になるようにした。制御プレート４はマグネシウム合金からなり、肉厚は第２の凹部の深さと同じ３ｍｍとした。さらに、制御プレート４の上に第１凹部６に対応する形状のフェースプレート３を嵌め込み、ヘッド本体２に圧入する。フェースプレート３はチタン合金からなり、肉厚は第１の凹部の深さと同じ２．５ｍｍである。
【００２０】
フェースプレート３を圧入することで、制御プレート４はフェースプレート３と第２凹部７の底面に挟み込まれて固着され、第３凹部８の深さよりも０．２ｍｍ厚い防振材５の予圧を受けているので、より大きなと制振効果を得ることが出来る。また、図示はしないが、フェースプレート３と制御プレート４の間に樹脂製のシート（本実施例では厚さ０．２５ｍｍのポリエチレンシートを使用）を装着すると、さらに打球音の改善ができる。
【産業上の利用可能性】
【００２１】
本発明は、ゴルフ用アイアンヘッドに広く適用される。
【図面の簡単な説明】
【００２２】
【図１】本発明のヘッド本体の実施例１である。
【図２】本発明のヘッド本体の実施例２である。
【図３】実施例２のフェース中央線における断面図である。
【図４】実施例２のアイアンヘッドの背面図である。
【図５】本発明のアイアンヘッドの実施例である。
【符号の説明】
【００２３】
１  アイアンヘッド、２  ヘッド本体、３  フェースプレート、４  制御プレート、５  防振材、６  第１凹部、７  第２凹部、８  第３凹部、９  抜け防止部  １０１  ホーゼル部、１０２  フェース部、１０３  ソール部、１０４  トウ部、１０５  ヒール部、１０６  トップ部、１０７  フェース中心線、１０７  フェース中心線、１０８  ラインマーク
【図１】
2006130231.tif 000003
【図２】
2006130231.tif 000004
【図３】
2006130231.tif 000005
【図４】
2006130231.tif 000006
【図５】
2006130231.tif 000007